(57)【要約】      （修正有）【課題】建物の開口部に用いられる建具において、内装材を施設する作業をスムーズに行うことができる構成を提供する。【解決手段】建具が備えるアングル部（内装材保持部）４１０は、額縁（内装材）５の表面に位置し、見込方向室内側に延びる表側片４１０ａと、額縁５の裏面に位置し、見込方向室内側に延びる裏側片４１０ｂと、を有する。裏側片４１０ｂ及び表側片４１０ａの何れか一方の片は、他方の片よりも見込方向室内側に長く、かつ、その先端部が対向する片に向かって曲がる屈曲部４１０ｃを有する。【選択図】図８
2018100537.tif 000002
【特許請求の範囲】
【請求項１】
建物の開口部に設けられ、内装材を室内側で保持する内装材保持部を備える建具であって、
前記内装材保持部は、
前記内装材の表面に位置し、見込方向室内側に延びる表側片と、
前記内装材の裏面に位置し、見込方向室内側に延びる裏側片と、
を有し、
前記裏側片及び前記表側片の何れか一方の片は、他方の片よりも見込方向室内側に長く、かつ、その先端部が対向する片に向かって曲がる屈曲部を有する建具。
【請求項２】
前記裏側片が、前記表側片よりも見込方向室内側に長く、かつ、前記屈曲部を有する片である請求項１に記載の建具。
【発明の詳細な説明】
【技術分野】
【０００１】
本発明は、建物の開口部に設けられる建具に関する。
【背景技術】
【０００２】
従来、躯体の開口部に納めされるサッシ等の建具において、アングルを介して内装材を枠体に固定する技術が知られている。この種の内装材保持部に関する技術を開示するものとして例えば特許文献１がある。特許文献１には、建物開口部に固定して設けられる建具枠と、建具枠の室内側部分を構成し、かつ建物開口部に設けられる額縁の室外側に嵌合される略コ字形部を有するアングルと、コ字形部の内面に突出して設けられ、額縁のアングルに対する室外若しくは室内方向の動きを規制する係合部とを備えた建具について記載されている。
【先行技術文献】
【特許文献】
【０００３】
【特許文献１】特開２０１０−１３９２４号公報
【発明の概要】
【発明が解決しようとする課題】
【０００４】
特許文献１に開示されるような構造のアングルでは、内装材の室外側端部をアングルの内側に差し込んだ状態で内装材が固定される。内装材をアングルに差し込む作業では、内装材におけるアングルの内側に差し込まれる部分（室外側端部）の姿勢を見込方向に向け、この状態を維持しながらアングルの内側に内装材を押し込む必要がある。アングルは枠体の上下左右のそれぞれに配置されており、施工対象のアングルの位置によっては見込方向に沿わせた状態を維持しながら内装材を挿入しにくい場合があった。例えば、上枠側に配置されるアングルに対して内装材の姿勢を見込方向に維持しながらアングルの内側に押し込むために、内装材が傾かないように下支えして姿勢を保ちながら見込方向に内装材を押し込む必要がある。
【０００５】
本発明は、建物の開口部に用いられる建具において、内装材を施設する作業をスムーズに行うことができる構成を提供することを目的とする。
【課題を解決するための手段】
【０００６】
本発明は、建物の開口部に設けられ、内装材（例えば、後述の額縁５）を室内側で保持する内装材保持部（例えば、後述のアングル部４１０，４２０，４４０，５１０）を備える建具（例えば、後述の建具１）であって、前記内装材保持部は、前記内装材の表面に位置し、見込方向室内側に延びる表側片（例えば、後述の表側片４１０ａ，４２０ａ，４４０ａ，５１０ａ）と、前記内装材の裏面に位置し、見込方向室内側に延びる裏側片（例えば、後述の裏側片４１０ｂ，４２０ｂ，４４０ｂ，５１０ｂ）と、を有し、前記裏側片及び前記表側片の何れか一方の片は、他方の片よりも見込方向室内側に長く、かつ、その先端部が対向する片に向かって曲がる屈曲部（例えば、後述の屈曲部４１０ｃ，４２０ｃ，４４０ｃ，５１０ｃ）を有する。
【０００７】
前記裏側片が、前記表側片よりも見込方向室内側に長く、かつ、前記屈曲部を有する片であることが好ましい。
【発明の効果】
【０００８】
本発明の建具の構成によれば、建物の開口部に用いられる建具において、内装材を施設する作業をスムーズに行うことができる。
【図面の簡単な説明】
【０００９】
【図１】本発明の一実施形態に係る建具を室内側から見た内観図である。
【図２】本実施形態の建具１を室外側から見た外観図である。
【図３】本実施形態の建具１の横断面図である。
【図４】本実施形態の建具１の縦断面図である。
【図５】本実施形態の建具１が備える縦樹脂カバー４４及びその近傍を示す拡大横断面図である。
【図６】本実施形態の建具１が備える下樹脂カバー４２及びその近傍を示す拡大縦断面図である。
【図７】本実施形態の建具１が備える上樹脂カバー４１及びその近傍を示す拡大縦断面図である。
【図８】本実施形態の上樹脂カバー４１のアングル部４１０に額縁５の室外側端部５１を挿入する様子を模式的に示す拡大縦断面図である。
【図９】変形例の上樹脂カバー５００のアングル部５１０を示す拡大縦断面図である。
【発明を実施するための形態】
【００１０】
以下、本発明の好ましい実施形態について、図面を参照しながら説明する。なお、本明細書において、「見付方向」とは、建物に形成された開口部に納められた建具１における障子２０の面方向を意味し、「見込方向」とは、障子２０の厚み方向を意味する。
【００１１】
図１及び図２に示す建具１は、建物の躯体２により形成される開口部に用いられる開口部装置である。この建具１により室内側と室外側が区画される。
【００１２】
まず、建具１の全体構成について説明する。本実施形態の建具１は、躯体２に固定される枠体１０と、枠体１０の内側に配置される障子２０と、障子２０を開閉可能に支持する丁番７０と、枠体１０の室内側に配置される樹脂カバー４０と、を主要な構成として備える。
【００１３】
枠体１０は、上枠１１と、下枠１２と、吊元側縦枠１３と、戸先側縦枠１４と、が矩形に枠組みされて構成される。本実施形態の枠体１０は、アルミニウム合金の押出し形材によって成形される。
【００１４】
図３及び図４に示すように、障子２０は、ガラス２１と、ガラス２１を保持する框３０と、を備える。框３０は、上框３１と、下框３２と、吊元側縦框３３と、戸先側縦框３４と、が矩形に枠組みされて構成される。ガラス２１の上端部は上框３１のガラス保持溝３１０に収容され、下端部は下框３２のガラス保持溝３２０に収容される。また、ガラス２１の吊元側の端部は吊元側縦框３３のガラス保持溝３３０に収容され、ガラス２１の戸先側の端部は戸先側縦框３４のガラス保持溝３４０に収容される。
【００１５】
障子２０の戸先側縦框３４にはレバーハンドル２６と、レバーハンドル２６に連動するラッチ機構２７と、が配置される。障子２０の開閉はレバーハンドル２６の操作によって行われる。また、戸先側縦枠１４には、ラッチ機構２７の受け部２８が設けられる。
【００１６】
丁番７０は、吊元側縦枠１３に固定され、障子２０を開閉可能に支持する。丁番７０は、上下方向に複数配置される。
【００１７】
樹脂カバー４０は、枠体１０の室内側を覆う樹脂製のカバー部材である。樹脂カバー４０は、枠体１０の構成に対応しており、上樹脂カバー４１と、下樹脂カバー４２と、左右両側にそれぞれ配置される縦樹脂カバー４４と、を備える。
【００１８】
上樹脂カバー４１は、額縁５の上部を保持するアングル部４１０を備え、下樹脂カバー４２は、額縁５の下部を支持するアングル部４２０を備える。また、縦樹脂カバー４４は、額縁５の側部を支持するアングル部４４０をそれぞれ備える。このように、本実施形態では、樹脂カバー４０を介して額縁５が保持される。
【００１９】
図５を参照して戸先側縦枠１４及び縦樹脂カバー４４の構成について説明する。
戸先側縦枠１４は、躯体側に固定される縦枠本体部１４０と、縦枠本体部１４０から見込方向室内側に延びる縦枠延出片１４１と、縦枠延出片１４１の先端でアングル部４４０を支持する金属製支持部１４５と、を備える。
縦樹脂カバー４４は、縦枠本体部１４０に固定される第１縦樹脂部材４４１と、第１縦樹脂部材４４１に嵌合固定される第２縦樹脂部材４４２と、第１縦樹脂部材４４１の室内側端部に配置される上述のアングル部４４０と、を備える。
【００２０】
第１縦樹脂部材４４１は、その室内側の面に配置される弾性部材４４５を保持するクッション材保持部４４１ａを備える。弾性部材４４５は、障子２０の閉鎖時に戸先側縦框３４の室内側の見付面に接触する。本実施形態の戸先側縦框３４は、その室内側の面に樹脂部材３４５が配置されており、この樹脂部材３４５が弾性部材４４５に接触する。
【００２１】
第２縦樹脂部材４４２は、アングル部４４０の裏側（見込方向室外側）に位置し、第１縦樹脂部材４４１の見込面側に形成される凹部４４１ｂに嵌合固定される。
【００２２】
アングル部４４０は、縦樹脂カバー４４の室内側端部に位置しており、内装材としての額縁５の室外側端部５１を支持する。アングル部４４０は、平面視でその断面形状が見込方向室内側に開口する略Ｃ字状に形成される。
【００２３】
本実施形態のアングル部４４０は、見付方向の障子２０側で見込方向室内側に延びる表側片４４０ａと、見付方向の躯体側で見込方向室内側に延びる裏側片４４０ｂと、支持片嵌合部４４０ｄと、を備える。
【００２４】
アングル部４４０は、縦樹脂カバー４４の長手方向（上下方向）全長に延びる一体的な部材で構成される。表側片４４０ａと裏側片４４０ｂと支持片嵌合部４４０ｄは、分割される部品で構成されているわけではなく一体的な部材である。また、アングル部４４０自体も第１縦樹脂部材４４１と一体的に成形されている。
【００２５】
額縁５の室外側端部５１が挿入された状態で、表側片４４０ａは、額縁５の室外側端部５１の表面（躯体側と反対側の面）に対向し、裏側片４４０ｂは、額縁５の室外側端部５１の裏面（躯体側の面）に対向する。表側片４４０ａと裏側片４４０ｂの間に額縁５の室外側端部５１が挿入される挿入口４４６が形成される。なお、以下の説明において、裏側は額縁５において躯体側に位置して外側から見えない側とし、表側は裏側の反対側であって外側から見える側又は相対的に外側にある側とする。
【００２６】
裏側片４４０ｂが表側片４２０ａよりも長く形成されている。また、裏側片４４０ｂの端部には表側片４２０ａに向かって折り返すように屈曲する屈曲部４４０ｃが形成される。本実施形態の屈曲部４４０ｃは、その先端が見付方向吊元側を向いており、略直角に折れ曲がっている。屈曲部４４０ｃの室内側にはスペース４４７が形成され、該スペース４４７を利用して額縁５の挿入作業をスムーズに行うことができるようになっている。本実施形態では、屈曲部４４０ｃの先端面が額縁５に当接している。
【００２７】
支持片嵌合部４４０ｄは、金属製支持部１４５によって支持される部位である。本実施形態の金属製支持部１４５は、アングル部４４０の支持片嵌合部４４０ｄに嵌合する嵌合部１４５ａと、アングル部４４０の裏側片４４０ｂを支持する裏側支持片１４５ｂと、躯体側に接触する接触片１４５ｃ，１４５ｄと、を備える。
【００２８】
アングル部４４０の支持片嵌合部４４０ｄが金属製支持部１４５の嵌合部１４５ａに嵌合することにより、アングル部４４０の基端側が金属製である金属製支持部１４５によって強固に支持される状態となる。本実施形態では、支持片嵌合部４４０ｄと嵌合部１４５ａの間には軟質性の樹脂で構成される弾性部材１４６が配置される。弾性部材１４６は、左右方向（見付方向）で支持片嵌合部４４０ｄと嵌合部１４５ａに挟み込まれており、該弾性部材１４６が弾性変形した状態で支持片嵌合部４４０ｄと嵌合部１４５ａが嵌合される。なお、弾性部材１４６を省略することもできる。
【００２９】
裏側支持片１４５ｂは、躯体側からアングル部４４０の裏側片４４０ｂの基端部まで延びた後、見込方向室内側に屈曲し、裏側片４４０ｂの裏側面に沿って延びている。この裏側支持片１４５ｂによって裏側片４４０ｂが裏側から支持される。
【００３０】
接触片１４５ｃ，１４５ｄは、何れも躯体側に接触する部位である。接触片１４５ｃは、嵌合部１４５ａ側から見付方向躯体側に延びており、その端面が躯体２に接触している。接触片１４５ｄは、接触片１４５ｃの基端部から見込方向室内側に延びた後、躯体側に傾斜するように延びており、その端面が躯体２に接触している。接触片１４５ｃ，１４５ｄにより、躯体２に対する金属製支持部１４５の位置が適切なものとなっている。
【００３１】
本実施形態では、戸先側縦枠１４（枠体１０）の長手方向に帯状に延びる加熱発泡材８０が第１縦樹脂部材４４１と縦枠本体部１４０の間に配置される。加熱発泡材８０は、火災時等の高温環境で発泡し、障子２０と戸先側縦枠１４の隙間を塞ぐためのものである。戸先側縦枠１４と縦樹脂カバー４４によって構成される加熱発泡材保持部９４によって加熱発泡材８０が保持されている。
【００３２】
以上、図５を参照して戸先側縦枠１４及び戸先側の縦樹脂カバー４４について説明したが、吊元側縦枠１３及び吊元側の縦樹脂カバー４４も、左右対称となっている以外は同様の構成である。次に、図６を参照して下枠１２及び下樹脂カバー４２の構成について説明する。
【００３３】
下枠１２は、躯体側に固定される下枠本体部１２０と、下枠本体部１２０から見込方向室内側に配置される室内側下枠部材１２１と、室内側下枠部材１２１の先端でアングル部４２０を支持する金属製支持部１２５と、を備える。
下樹脂カバー４２は、下枠本体部１２０及び室内側下枠部材１２１に固定される第１下樹脂部材４２１と、第１下樹脂部材４２１に嵌合固定される第２下樹脂部材４２２と、第１下樹脂部材４２１の室内側端部に配置される上述のアングル部４２０と、を備える。
【００３４】
第１下樹脂部材４２１は、障子２０の閉鎖時に下框３２の室内側の見付面に対向する位置関係にある。本実施形態の下框３２は、その室内側の面に樹脂部材３２５が配置されており、この樹脂部材３２５と第１下樹脂部材４２１が見込方向で対向した状態となる。
【００３５】
第２下樹脂部材４２２は、アングル部４２０の裏側（見込方向室外側）に位置し、第１下樹脂部材４２１の見込面側に形成される凹部４２１ａに嵌合固定される。
【００３６】
アングル部４２０は、下樹脂カバー４２の室内側端部に位置しており、内装材としての額縁５の室外側端部５１を支持する。アングル部４２０は、左右方向視でその断面形状が見込方向室内側に開口する略Ｃ字状に形成される。
【００３７】
本実施形態のアングル部４２０は、上側で見込方向室内側に延びる表側片４２０ａと、下側で見込方向室内側に延びる裏側片４２０ｂと、支持片嵌合部４２０ｄと、を備える。
【００３８】
アングル部４２０は、下樹脂カバー４２の長手方向（左右方向）全長に延びる一体的な部材で構成される。表側片４２０ａと裏側片４２０ｂと支持片嵌合部４２０ｄは、分割される部品で構成されているわけではなく一体的な部材である。また、アングル部４２０自体も第１下樹脂部材４２１と一体的に成形されている。
【００３９】
額縁５の室外側端部５１が挿入された状態で、表側片４２０ａは、額縁５の室外側端部５１の表面（躯体側と反対側の面）に対向し、裏側片４２０ｂは、額縁５の室外側端部５１の裏面（躯体側の面）に対向する。表側片４２０ａと裏側片４２０ｂの間に額縁５の室外側端部５１が挿入される挿入口４２６が形成される。
【００４０】
裏側片４２０ｂが表側片４２０ａよりも長く形成されている。また、裏側片４２０ｂの端部には表側片４２０ａに向かって折り返すように屈曲する屈曲部４２０ｃが形成される。屈曲部４２０ｃは、その先端が上方を向いており、略直角に折れ曲がっている。本実施形態の屈曲部４２０ｃは、その先端が裏側片４２０ｂに対向しており、略直角に折れ曲がっている。屈曲部４２０ｃの室内側にはスペース４２７が形成され、該スペース４２７を利用して額縁５の挿入作業をスムーズに行うことができるようになっている。本実施形態では、屈曲部４２０ｃの先端面が額縁５に当接している。
【００４１】
支持片嵌合部４２０ｄは、金属製支持部１２５によって支持される部位である。本実施形態の金属製支持部１２５は、アングル部４２０の支持片嵌合部４２０ｄに嵌合する嵌合部１２５ａと、アングル部４２０の裏側片４２０ｂを支持する裏側支持片１２５ｂと、躯体側に接触する接触片１２５ｃと、を備える。
【００４２】
アングル部４２０の支持片嵌合部４２０ｄが金属製支持部１２５の嵌合部１２５ａに嵌合することにより、アングル部４２０の基端側が金属製である金属製支持部１２５によって強固に支持される状態となる。本実施形態では、支持片嵌合部４２０ｄと嵌合部１２５ａの間には軟質性の樹脂で構成される弾性部材１２６が配置される。弾性部材１２６は、上下方向で支持片嵌合部４２０ｄと嵌合部１２５ａの上部に挟み込まれており、該弾性部材１２６が弾性変形した状態で支持片嵌合部４２０ｄと嵌合部１２５ａが嵌合される。なお、弾性部材１２６を省略することもできる。
【００４３】
裏側支持片１２５ｂは、躯体側からアングル部４２０の裏側片４２０ｂの基端部まで延びた後、見込方向室内側に屈曲し、裏側片４２０ｂの裏側面に沿って延びている。この裏側支持片１２５ｂによって裏側片４２０ｂが裏側から支持される。
【００４４】
接触片１２５ｃは、躯体側に接触する部位である。接触片１２５ｃは、嵌合部１２５ａ側から下方（見付方向躯体側）に延びており、その端面が躯体２に接触している。接触片１２５ｃにより、躯体２に対する金属製支持部１２５の位置が適切なものとなっている。
【００４５】
本実施形態では、下枠１２（枠体１０）の長手方向に帯状に延びる加熱発泡材８０が第１下樹脂部材４２１と下枠本体部１２０の間に配置される。加熱発泡材８０は、火災時等の高温環境で発泡し、障子２０と下枠１２の間の隙間を塞ぐためのものである。下枠１２と下樹脂カバー４２によって構成される加熱発泡材保持部９２によって加熱発泡材８０が保持されている。
【００４６】
次に、図７を参照して上枠１１及び上樹脂カバー４１の構成について説明する。
上枠１１は、躯体側に固定される上枠本体部１１０と、上枠本体部１１０から見込方向室内側に配置される室内側上枠部材１１２と、室内側上枠部材１１２の先端でアングル部４１０を支持する金属製支持部１１５と、を備える。本実施形態の室内側上枠部材１１２は、樹脂製の結合部材１１１を介して上枠本体部１１０に連結固定されている。
上樹脂カバー４１は、上枠本体部１１０及び室内側上枠部材１１２に固定される第１上樹脂部材４１１と、第１上樹脂部材４１１の内側に嵌合固定される第２上樹脂部材４１２と、第１上樹脂部材４１１の室内側端部に配置される上述のアングル部４１０と、を備える。
【００４７】
第１上樹脂部材４１１は、障子２０の閉鎖時に上框３１の室内側の見付面に対向する位置関係にある。本実施形態の上框３１は、その室内側の面に樹脂部材３１５が配置されており、この樹脂部材３１５と第１上樹脂部材４１１が見込方向で対向した状態となる。
【００４８】
第２上樹脂部材４１２は、アングル部４１０の裏側（見込方向室外側）に位置し、第１上樹脂部材４１１の見込面側に形成される凹部４１１ａに嵌合固定される。
【００４９】
アングル部４１０は、上樹脂カバー４１の室内側端部に位置しており、内装材としての額縁５の室外側端部５１を支持する。アングル部４１０は、左右方向視でその断面形状が見込方向室内側に開口する略Ｃ字状に形成される。
【００５０】
本実施形態のアングル部４１０は、下側で見込方向室内側に延びる表側片４１０ａと、上側で見込方向室内側に延びる裏側片４１０ｂと、支持片嵌合部４１０ｄと、を備える。
【００５１】
アングル部４１０は、上樹脂カバー４１の長手方向（左右方向）全長に延びる一体的な部材で構成される。表側片４１０ａと裏側片４１０ｂと支持片嵌合部４１０ｄは、分割される部品で構成されているわけではなく一体的な部材である。また、アングル部４１０自体も第１上樹脂部材４１１と一体的に成形されている。
【００５２】
額縁５の室外側端部５１が挿入された状態で、表側片４１０ａは、額縁５の室外側端部５１の表面（躯体側と反対側の面）に対向し、裏側片４１０ｂは、額縁５の室外側端部５１の裏面（躯体側の面）に対向する。表側片４１０ａと裏側片４１０ｂの間に額縁５の室外側端部５１が挿入される挿入口４１６が形成される。
【００５３】
裏側片４１０ｂが表側片４１０ａよりも長く形成されている。また、裏側片４１０ｂの端部には表側片４１０ａに向かって折り返すように屈曲する屈曲部４１０ｃが形成される。本実施形態の屈曲部４１０ｃは、その先端が下方を向いており、略直角に折れ曲がっている。屈曲部４１０ｃの室内側にはスペース４１７が形成される。本実施形態では、屈曲部４１０ｃの先端面が額縁５に当接している。
【００５４】
支持片嵌合部４１０ｄは、金属製支持部１１５によって支持される部位である。本実施形態の金属製支持部１１５は、アングル部４１０の支持片嵌合部４１０ｄに嵌合する嵌合部１１５ａと、アングル部４１０の裏側片４１０ｂを支持する裏側支持片１１５ｂと、躯体側に接触する接触片１１５ｃと、を備える。
【００５５】
アングル部４１０の支持片嵌合部４１０ｄが金属製支持部１１５の嵌合部１１５ａに嵌合することにより、アングル部４１０の基端側が金属製である金属製支持部１１５によって強固に支持される状態となる。
【００５６】
裏側支持片１１５ｂは、躯体側からアングル部４１０の裏側片４１０ｂの基端部まで延びた後、見込方向室内側に屈曲し、裏側片４１０ｂの裏側面に沿って延びている。この裏側支持片１１５ｂによって裏側片４１０ｂが裏側から支持される。本実施形態では、支持片嵌合部４１０ｄと裏側支持片１１５ｂの屈曲部分の間には軟質性の樹脂で構成される弾性部材１１６が配置される。弾性部材１１６は、上下方向で支持片嵌合部４１０ｄと裏側支持片１１５ｂの屈曲部分に挟み込まれており、該弾性部材１１６が弾性変形した状態で支持片嵌合部４１０ｄと嵌合部１１５ａが嵌合される。なお、弾性部材１１６を省略することもできる。
【００５７】
接触片１１５ｃは、躯体側に接触する部位である。接触片１１５ｃは、嵌合部１１５ａ側から上方（見付方向躯体側）に延びており、その端面が躯体２に接触している。接触片１１５ｃにより、躯体２に対する金属製支持部１１５の位置が適切なものとなっている。
【００５８】
本実施形態では、上枠１１（枠体１０）の長手方向に帯状に延びる加熱発泡材８０が第１上樹脂部材４１１と上枠本体部１１０の間に配置される。加熱発泡材８０は、火災時等の高温環境で発泡し、障子２０と上枠１１の間の隙間を塞ぐためのものである。上枠１１と上樹脂カバー４１によって構成される加熱発泡材保持部９１によって加熱発泡材８０が保持されている。
【００５９】
次に、図８を参照して額縁（内装材）５の施工方法について説明する。図８では、上樹脂カバー４１のアングル部４１０に額縁５を挿入する様子が示されている。額縁５の室外側端部５１の先端を見込方向に対して裏側片４１０ｂ側に傾け、この姿勢を維持した状態で、挿入口４１６から室外側端部５１をアングル部４１０の内側に挿入する。上述のように、アングル部４１０には、屈曲部４１０ｃの室外側にスペース４１７が形成されており、このスペース４１７により室外側端部５１の姿勢を傾けた状態を維持しながら室外側まで深く挿入できるようになっている。
【００６０】
アングル部４１０の挿入口４１６に室外側端部５１を挿入した後、室外側端部５１の姿勢が見込方向（水平方向）に沿うように額縁５の室内側を上方に回動させる。室外側端部５１の姿勢が見込方向に沿った状態で室外側に水平方向に押し込むことで、額縁５がアングル部４１０に保持される状態となる。本実施形態では、額縁５はネジ等を使うことなく接着により躯体２に固定される。
【００６１】
以上、上樹脂カバー４１のアングル部４１０に額縁５を挿入する例を説明したが、下樹脂カバー４２のアングル部４２０及び左右の縦樹脂カバー４４のアングル部４４０についても方向が異なるだけで基本的な施工方法は同じである。
即ち、額縁５の室外側端部５１（先端部）を見込方向に対して裏面側に傾けた状態で挿入した後、各屈曲部の見込方向室内側のスペースを利用して額縁５の室外側端部５１の姿勢を見込方向に沿うように額縁５の室内側端部（基端部）を回動させて見込方向室外側に押し込むことで額縁５をアングル部に保持させる工程をスムーズに行うことができる。
【００６２】
以上説明した本実施形態によれば、以下のような効果を奏する。
本実施形態の建具１が備えるアングル部４１０，４２０，４４０は、額縁５の表面に位置し、見込方向室内側に延びる表側片４１０ａ，４２０ａ，４４０ａと、額縁５の裏面に位置し、見込方向室内側に延びる裏側片４１０ｂ，４２０ｂ，４４０ｂと、を有し、前記裏側片４１０ｂ，４２０ｂ，４４０ｂ及び表側片４１０ａ，４２０ａ，４４０ａの何れか一方の片は、他方の片よりも見込方向室内側に長く、かつ、その先端部が対向する片に向かって曲がる屈曲部４１０ｃ，４２０ｃ，４４０ｃを有する。
【００６３】
これにより、屈曲部４１０ｃ，４２０ｃ，４４０ｃの見込方向室内側に形成されるスペース４１７，４２７，４４７を利用し、額縁５の室外側端部５１の姿勢を見込方向に対して傾けた状態でアングル部４１０，４２０，４３０，４４０の内側に挿入することができる。例えば、上樹脂カバー４１のアングル部４１０では、従来構造ではスペース４１７がないため額縁５の室外側端部５１の姿勢を水平方向にするため、挿入口４１６の高さまで額縁５を持ち上げなければならず、施工性に難があった。本実施形態の構成によれば、額縁５の室外側端部５１を斜めに向けて下から差し込むことができ、挿入作業をスムーズに行うことができる。
また、屈曲部４１０ｃによって額縁５の室外側端部５１を差し込むスペース４１７を形成しているので、外側に開口する挿入口４１６を小さくすることができ、挿入後の額縁５も小さい挿入口４１６によって安定的に保持できる。
【００６４】
また、本実施形態では、裏側片４１０ｂ，４２０ｂ，４４０ｂが、表側片４１０ａ，４２０ａ，４４０ａよりも見込方向室内側に長く、かつ、屈曲部４１０ｃ，４２０ｃ，４４０ｃを有する片である。
【００６５】
これにより、建具１の内側（表面側）から額縁５の挿入を行うことができるので、上下左右のアングル部４１０，４２０，４３０，４４０への額縁５のそれぞれの差込作業も躯体２に干渉することなく、よりスムーズに行うことができる。
【００６６】
以上、本発明の好ましい実施形態について説明したが、本発明は、上述の実施形態に制限されるものではなく、適宜変更が可能である。
【００６７】
次に、図９を参照して上記実施形態の変形例について説明する。図９に示すように、変形例の上樹脂カバー５００が備えるアングル部５１０は、下側で見込方向室内側に延びる表側片５１０ａと、上側で見込方向室内側に延びる裏側片５１０ｂと、支持片嵌合部５１０ｄと、を備える。
【００６８】
裏側片５１０ｂが表側片５１０ａよりも長く形成されている。また、裏側片５１０ｂの端部には表側片５１０ａに向かって折り返すように屈曲する屈曲部５１０ｃが形成される。本実施形態の屈曲部５１０ｃは、その先端が下方を向いており、略直角に折れ曲がっている。屈曲部５１０ｃの室内側にはスペース５１７が形成される。また、表側片５１０ａの端部には裏側片５１０ｂに向かって折り返すように屈曲する屈曲部５１０ｅが形成される。屈曲部５１０ｅも略直角に折れ曲がっている。表側片５１０ａと裏側片５１０ｂの間に額縁５の室外側端部５１が挿入される挿入口５１６が形成される。本変形例では、額縁５が挿入された状態で、屈曲部５１０ｃ及び屈曲部５１０ｅのそれぞれの先端面が額縁５に当接する。
【００６９】
支持片嵌合部５１０ｄは、金属製支持部６１５によって支持される部位である。変形例の金属製支持部６１５は、アングル部５１０の支持片嵌合部５１０ｄに嵌合する嵌合部６１５ａと、嵌合部６１５ａからアングル部５１０の裏側片５１０ｂ（下側）に向って延びる延出片６１５ｂと、延出片６１５ｂとは反対側の躯体側に延びる接触片６１５ｃと、を備える。延出片６１５ｂと裏側片５１０ｂの間には弾性部材１１６が配置される。なお、この弾性部材１１６を省略してもよい。
【００７０】
以上説明した変形例においても、屈曲部５１０ｃの室内側に形成されるスペース５１７を利用して額縁５の挿入作業をスムーズに行うことができる。また、樹脂製のアングル部５１０によって断熱性を向上させるとともに金属製支持部６１５によってアングル部５１０の支持構造も強固に構成することができる。即ち、上記実施形態と同様の効果を奏することができるのである。
【００７１】
上記実施形態及び変形例では、何れもアングル部（内装材保持部）の裏側片が表側片よりも長くなるように構成された例を説明したがこの構成に限定されない。例えば、表側片が、裏側片よりも見込方向室内側に長く、かつ、屈曲部を有する片である構成とすることもできる。
【００７２】
上記実施形態及び変形例では、内装材保持部としてのアングル部が樹脂製であるが、アングル部を金属で構成したものにも本発明を適用することができる。
【符号の説明】
【００７３】
１：建具
５：額縁（内装材）
１０：枠体（金属製枠体）
１１：上枠、１２：下枠、１３：吊元側縦枠、１４：戸先側縦枠（金属製枠体）
４０：樹脂カバー（カバー部材）
４１：上樹脂カバー、４２：下樹脂カバー、４４：縦樹脂カバー（カバー部材）
５１：室外側端部
１１５，１２５，１４５，６１５：金属製支持部
１１５ｂ，１２５ｂ，１４５ｂ：裏側支持片（支持片）
４１０，４２０，４４０，５１０：アングル部（内装材保持部）
４１０ａ，４２０ａ，４４０ａ，５１０ａ：表側片
４１０ｂ，４２０ｂ，４４０ｂ，５１０ｂ：裏側片
４１０ｃ，４２０ｃ，４４０ｃ，５１０ｃ：屈曲部
【図１】
2018100537.tif 000003
【図２】
2018100537.tif 000004
【図３】
2018100537.tif 000005
【図４】
2018100537.tif 000006
【図５】
2018100537.tif 000007
【図６】
2018100537.tif 000008
【図７】
2018100537.tif 000009
【図８】
2018100537.tif 000010
【図９】
2018100537.tif 000011